(57)【要約】【課題】テープを引き出して切刃位置で切断するだけで、ほかに何らの操作も必要とせずに自動的につまみ状の折り返し片が形成されるようにした粘着テープのカッター装置を提供する。【解決手段】切刃レバー９と、この切刃レバーよりもテープ芯環側に寄って配置された間隔保持アーム１３と、間隔保持アームの固定手段と、切刃レバーの第１，第２のレバーストッパ手段と、切刃レバーに設けられたアーム押動手段とを有し、間隔保持アームはアーム固定手段で固定された位置で先端に粘着テープ５が付着され、切刃レバーはテープ引出し側の傾動位置で粘着テープが切断されたとき、元側の粘着テープと共に間隔保持アームにばね力で衝接し、切刃レバーと間隔保持アームとの間でテープの折り返し片２７が形成される。切刃レバー９の先端部には、ばね付勢の上下動可能な舌片部材５０を設けるのが好ましい。【選択図】図１
2010070266.tif 000002
【特許請求の範囲】
【請求項１】
粘着テープの芯環を回転可能に保持した本体部のテープ引出側部分に枢着され、かつばね力で前記芯環側へ付勢されている切刃レバーと、
前記切刃レバーに隣接して該切刃レバーよりも前記芯環側に向って設けられ、円弧経路に沿って回動する間隔保持アームと、
前記間隔保持アームのテープ芯環側への回動位置を規定するアームストッパ手段、および該間隔保持アームのテープ引出し側への回動位置を規定し、かつこの位置で該間隔保持アームを固定するアーム固定手段と、
前記アームストッパ手段で位置規定された状態の前記間隔保持アームに対してテープ引出し側へ所定間隔を有して前記テープ芯環側への前記切刃レバーの位置を規定する第１のレバーストッパ手段、及び前記アーム固定手段で固定された状態の前記間隔保持アームに対してテープ引出し側へ前記所定間隔を有してテープ引出し側への前記切刃レバーの位置を規定する第２のレバーストッパ手段と、
前記切刃レバーに形成され、かつ前記間隔保持アームと係合して該切刃レバーのテープ引出し側への回動により前記間隔保持アームをテープ引出し側へ回動させるアーム押動手段と、を有し、
前記切刃レバーは、前記テープ芯環から引き出された粘着テープを該レバーの先端部に付着させて引き出すことで前記第２のレバーストッパ手段で規定された位置まで傾動され、
前記間隔保持アームは、前記粘着テープの引出しにより少なくとも前記アーム固定手段で固定された位置で先端部に前記粘着テープが付着され、
前記切刃レバーは、前記第２のレバーストッパ手段で規定された位置で切刃により粘着テープが切断されたとき、先端部に付着した粘着テープと共に固定位置の前記間隔保持アームに前記ばね力で衝接することを特徴とする粘着テープのカッター装置。
【請求項２】
前記切刃レバーの先端部に、切刃位置よりもテープ芯環側で該切刃に隣接して、かつ該切刃の刃先より幾分上方へ突出したテープ付着舌片部材が設けられ、
前記テープ付着舌片部材は、ばね手段を介して前記切刃レバーに上下動可能に保持され、かつ該切刃レバーに付着された粘着テープの前記切刃による切断時に前記ばね手段に抗して該粘着テープにより押し下げられることを特徴とする請求項１に記載の粘着テープのカッター装置。
【請求項３】
前記切刃レバーのテープ引出し側への傾動を拘束する退避切替え可能な切刃レバー拘束ストッパ手段が前記本体部に設けられることを特徴とする請求項１に記載の粘着テープのカッター装置。
【発明の詳細な説明】
【技術分野】
【０００１】
本発明は粘着テープのカッター装置に関し、特に、芯環に巻かれた粘着テープの一端を引き出して切刃により切断したとき、元側のテープ切断端部に折り返し片が自動的に形成されるようにした粘着テープのテープカッター装置に関する。
【背景技術】
【０００２】
この種のテープカッター装置は、芯環に巻かれた状態のテープ環体を回転自在に保持、収容する本体部と一体になっており、前記本体部のテープ引出し側の端部に設けた切刃（固定刃）にテープ芯環から所要長さに引き出した粘着テープを押し当てて切断するのが一般的である。
このようにして切断した粘着テープを目的の部材に貼り付けた場合、粘着テープは一端から他端まで目的部材に完全に密着して付着されるため、後で粘着テープを剥がそうとすると、剥がし口（剥がし開始の部分）がなく、指先の爪等でテープの隅部を引っかくようにして剥がし口をつくらなければならず、この操作が非常に煩雑である。
【０００３】
このような不便を解消するために、前記粘着テープを引き出して切断したとき、前記テープの一端部に折り返し片が形成されるようにしたものが開示されている（特許文献１、２）。これは、切断後の元側（残った側）のテープ先端部に折り返し片が切刃から突出して形成されるものであり、次回の使用時には、この折り返し片をつまんで引き出し、所望長さに切断して使用することにより、折り返し片の部分は相手部材に付着しないので、剥がす際にはこの折り返し片を剥がし口として容易にテープを剥がすことができる。
【０００４】
特許文献１の構成は、本体部のテープ引出し側端部に切刃のない固定片を設け、この固定片のさらに外側に先端に切刃をもつ可動片を枢着するとともに、前記可動片をばね力で常時前記固定片に対して間隔を有して前方へ傾斜するように付勢し、可動片先端の切刃でテープを切断した後、前記可動片を前記固定片に手で押し付けて折り返し片のテープループをつくり、このテープループを指でつまんで該ループにつながる切断後の元側のテープ端部を前記可動片の先端から引き離して該可動片の押し付けを解除する、という構造である。
【０００５】
また、特許文献２のものは、粘着テープの芯環と同心に歯車を本体部に設け、粘着テープの引き出しに伴って歯車機構より切刃の付いた回転子がレバー作用で本体部から離れる方向に回動し、この状態で前記テープを切刃に当てて切断した後、別のレバーを手動で押し下げて前記回転子の先端を本体部側へ押し付けることで折り返し片のループをつくるという構成である。
【特許文献１】特開２０００−３３４６９１号公報
【特許文献２】特開２００１−１９９６１９号公報
【発明の開示】
【発明が解決しようとする課題】
【０００６】
上述の特許文献１に記載のテープカッターは、切刃の付いた可動片がばね力で常時本体部の外側へ傾斜状態に倒れる形態であるため、前記本体部を含めた装置全体が大形となりがちであり、また、粘着テープを引き出して切断した後、切刃側の可動片を本体部側の固定片に押し付ける操作、および折り返し片のテープループを指先でつまんで可動片先端から該ループにつながるテープ端部を引き離すという操作が必要であり、取り扱いが煩雑である。
【０００７】
また、特許文献２に記載のつまみ部形成機能付きテープカッターは、テープの引き出しにより歯車機構で切刃付きの回転子が開動し、テープ切断後はレバーの押し下げで前記回転子を本体部側へ閉動させるという操作が必要であり、単にテープを引き出して切断しただけではテープの折り返し片ができず、文献１と同様に煩雑な操作を強いられるという問題があった。
【０００８】
本発明は、芯環に巻かれた粘着テープを回転可能に支持、収容する本体部から外側へ折り返し片の形成機構部が突出せず、したがって外形が大形とならず、またテープを引き出して切刃位置で切断するだけで、他に何らの操作も必要とせずに自動的につまみ状の折り返し片が形成されるようにした粘着テープのカッター装置を提供することを目的とするものである。
【０００９】
本発明はまた、ストッパ解除可能な簡単なストッパ手段を付加するだけで、折り返し片形成および折り返し片を形成しない通常使用の両機能を併せもつ粘着テープのカッター装置を提供することを目的とする。
【課題を解決するための手段】
【００１０】
本発明の請求項１に係る粘着テープのカッター装置は、粘着テープの芯環を回転可能に保持した本体部のテープ引出側部分に枢着され、かつばね力で前記芯環側へ付勢されている切刃レバーと、前記切刃レバーに隣接して該切刃レバーよりも前記芯環側に向って設けられ、円弧経路に沿って回動する間隔保持アームと、前記間隔保持アームのテープ芯環側への回動位置を規定するアームストッパ手段、および該間隔保持アームのテープ引出し側への回動位置を規定し、かつこの位置で該間隔保持アームを固定するアーム固定手段と、前記アームストッパ手段で位置規定された状態の前記間隔保持アームに対してテープ引出し側へ所定間隔を有して前記テープ芯環側への前記切刃レバーの位置を規定する第１のレバーストッパ手段、および前記アーム固定手段で固定された状態の前記間隔保持アームに対してテープ引出し側へ前記所定間隔を有してテープ引出し側への前記切刃レバーの位置を規定する第２のレバーストッパ手段と、前記切刃レバーに形成され、かつ前記間隔保持アームと係合して該切刃レバーのテープ引出し側への回動により前記間隔保持アームをテープ引出し側へ回動させるアーム押動手段と、を有して構成されている。
【００１１】
前記切刃レバーは、前記テープ芯環から引き出された粘着テープを該レバーの先端部に付着させて引き出すことで前記第２のレバーストッパ手段で規定された位置まで傾動され、前記間隔保持アームは、前記粘着テープの引出しにより少なくとも前記アーム固定手段で固定された位置で先端部に前記粘着テープが付着され、前記切刃レバーは、前記第２のレバーストッパ手段で規定された位置で切刃により粘着テープが切断されたとき、先端部に付着した粘着テープと共に固定位置の前記間隔保持アームに前記ばね力で衝接して該レバーと該アームとの間にテープの折り返し片が形成される。
【００１２】
本発明の請求項２に係る実施形態によれば、請求項１に記載の粘着テープのカッター装置において、前記切刃レバーの先端部に、切刃位置よりもテープ芯環側で該切刃に隣接して、かつ該切刃の刃先より幾分上方へ突出したテープ付着舌片部材が設けられ、前記テープ付着舌片部材は、ばね手段を介して前記切刃レバーに上下動可能に保持され、かつ該切刃レバーに付着された粘着テープの前記切刃による切断時に前記ばね手段に抗して該粘着テープにより押し下げられるように構成された粘着テープのカッター装置が提供される。
【発明の効果】
【００１３】
本発明によれば、外形が大形とならず、通常のテープカッターの本体部に収まり、また、テープを引き出して切刃位置で切断するだけで、ほかに何らの操作も必要とせずに自動的につまみ状の折り返し片を形成することができる。
【発明を実施するための最良の形態】
【００１４】
以下、本発明の好ましい実施態様について、添付の図面に基づいて詳細に説明する。なお、各図の説明において同一の要素には同一の符号を付す。
（実施形態１）
【００１５】
図１は、本発明の実施形態１に係る粘着テープのテープカッター装置を備えたテープ繰出し装置を、テープ切断後の折り返し片が形成された状態で示した側面図である。テープ繰出し装置の本体部１は、粘着テープの芯環７の内周と嵌合する中心軸付き環体２を軸支するテープ支持部３と、テープ引出し側部分であるカッター部４とで構成され、このテープ支持部３とカッター部４との間に粘着テープ５を手でつかむのに適した凹部６が形成されている。２ａは環体２の中心軸であり、本体部のテープ支持部３に形成した凹部に脱着可能に軸支される。本体部１は粘着テープの芯環７を収容し得る間隔の一対の側板８を有している。この実施形態１では、明瞭化のため、前記側板８はカッター装置の内部構造を側方から透視できるように透明プラスチック板で形成されているが、勿論本発明はこのような透明側板８で本体部１を構成する必要はない。
【００１６】
本体部１のテープ引出し側のカッター部両側板８に挟まれて該側板に切刃レバー９の下端部が回転可能に軸支されている。レバー９の片側部１０先端には切刃１１が固着され、また他方の片側部１２には、後述する間隔保持アーム１３に接当して該アーム１３をテープ引出し側へ回動させる係合突部１５が形成されている。切刃レバー９の枢軸１６位置よりテープ芯環側へ寄った位置で、前記他方の片側部１２と本体部１の下部近傍部分との間に引張りばね１７が装着され、これによって切刃レバー９は常にテープ芯環側へ向って付勢されている。なお、以下の説明では、冗長さを避けるため前記間隔保持アーム１３を単に間隔アームと称することにする。
【００１７】
切刃レバー９の先端部は、切刃１１に隣接してテープ芯環側へ向く部位で或る幅をもつテープ付着面１８が形成されている。また、切刃レバー９の先端部の高さ位置は粘着テープ５の芯環軸支部よりも高い位置にあり、これによってテープ芯環７から引き出された粘着テープ５は、切刃レバー９の先端部と係合したとき、円形のテープ環体の周面からレバー先端部へ向って斜め上方へ伸長する。
【００１８】
切刃レバー９に隣接して、かつ該切刃レバーよりも粘着テープ５の芯環側に寄って前記間隔アーム１３が後述する円弧経路に沿って回動するように両側板８間に設けられている。なお、間隔アーム１３はコ字状に形成され、このコ字状の両腕部が切刃レバー９を跨ぐように本体部１の両側板８間に配置されている。図１に示すように、切刃レバー９の枢軸１６よりも若干上方位置で両側板８に上下に伸びる長孔２０が形成され、この長孔２０に間隔アーム１３の腕部の下端側部に一体に形成した回動ピン２１が挿入されている。また、両側板８の内壁面には、略１／４円弧形の円弧溝２２（図中破線で示す）が形成され、この円弧溝２２に間隔アーム１３の外側部に形成した突起２３が係合している。円弧溝２２のテープ引出し側の溝端は長孔２０の上方位置で終端し、この溝端から長孔２０に向って略同じ溝幅のアーム固定溝（アーム固定手段）２５が形成されている。
【００１９】
円弧溝２２の円弧中心は長孔２０の上端に間隔アーム下端のピン２１が上昇した時のピン位置となっている。したがって、ピン２１がこの長孔２０の上端に位置している状態で間隔アーム１３は、その両外側部の突起２３が円弧溝２２内を摺動することにより、長孔２０上端のピン２１の位置を中心として円弧経路に沿って回動する。ピン２１が長孔２０の下端位置にきているときには、間隔アーム１３は円弧溝２２に沿って回動できない。間隔アーム１３が円弧溝２２に沿ってテープ引出し側へ回動し、アーム外側部の突起２３が円弧溝２２のテープ引出し側終端からアーム固定溝２５に落下したとき、アーム下端のピン２１は長孔２０の下端に位置し、この状態で間隔アーム１３は固定状態（回動不可）となる。
【００２０】
図２に示すように、間隔アーム１３の側部突起２３が円弧溝２２のテープ芯環側終端に位置したときは、間隔アーム１３は、これ以上は下方向には回動できず、したがってこの位置の円弧溝終端が間隔アーム１３のテープ芯環側への回動のアームストッパ手段となる。そして、この状態で切刃レバー９の切刃１１につながるレバー片側部１０が間隔アーム１３のピン位置近傍の該間隔アームの下端部１３ａに接当し、これによって切刃レバー９はこれ以上テープ芯環側へは回動しない。したがって、この実施形態１では、前記レバー片側部１０と間隔アーム１３の前記下端部１３ａとの接当部分が第１のレバーストッパ手段となる。
【００２１】
このとき、切刃レバー９の片側部１０と間隔アーム１３の側部とは角度θを形成しており、切刃レバー９の先端部と間隔アーム１３の先端部は間隔ｄだけ離隔した状態となっている。なお、この状態で切刃レバー９の他方の片側部１２に形成した間隔アーム押上げ回動用の係合突部１５が間隔アーム１３の背面（テープ芯環側のアーム側面）に接当または近接している。
【００２２】
間隔アーム１３の先端部は、テープ引出し側に向いた切刃レバー９との接当面１３ｂに続いてその上面に若干幅広（テープ伸長方向に沿った幅長さ）のテープ付着面２６が形成されている。このアーム１３のテープ付着面２６は、後述するように、粘着テープ５を引き出して切刃レバー９の先端部に当て、その引出し作用で切刃レバー９と間隔アーム１３を回動させ、かつ間隔アーム１３が前記アーム固定手段によって固定された状態で粘着テープ５が間隔アーム１３の前記テープ付着面２６に付着するように形成される。より具体的には、間隔アーム１３のテープ付着面２６は該アーム１３の伸長方向に対して大略直角方向の幅ｗ（図２）を有するようにアーム先端部に形成される。
【００２３】
次に、本発明の実施形態１によるテープカッター装置のテープ切断動作を、その他の構成と共に説明する。
図１は既述の如く粘着テープ５を引き出して切断した後の状態を示したものであり、この状態から次回の使用に供される。まず、この状態では間隔アーム１３は前記アーム固定手段によって固定された状態で立位姿勢にあり、該アーム１３に切刃レバー９が接当し、粘着テープ５の引出し側の部分は間隔アーム１３と切刃レバー９の両先端部（テープ付着面１８，２６）に付着保持され、かつ両先端部の間にテープの折り返し片２７が突出している。切断した後の元側（テープ芯環側）のテープ先端は切刃１１に付着している。
【００２４】
この状態から折り返し片２７を指でつまみ上げると、アーム先端部に付着された粘着テープ５が持ち上り、これに伴って間隔アーム１３も持ち上り、アーム側部の前記突起２３がアーム固定溝２５から外れて円弧溝２２に入る。この状態では、長孔２０に係合しているピン２１も同時に長孔上端位置まで上昇している。これによって間隔アーム１３は自重で円弧溝２２に沿ってテープ芯環側下方へ回動し、円弧溝２２の下端に突起２３が接当した状態でアーム１３の回動が止まる。同時に切刃レバー９は、引張りばね１７のばね力によりテープ芯環側へ傾動するが、前述した如く該レバー９の側部がピン位置近傍の間隔アーム１３の下端部１３ａに接当するので、これがストッパ（前記第１のレバーストッパ手段）となって切刃レバー９の傾動が停止する。この状態で、前述した如く、間隔アーム１３と切刃レバー９の先端部どおしは間隔ｄをもって離間している。図２はこのときの状態を示している。なお、粘着テープ５の持ち上げで該テープ５に付着した間隔アーム１３が上昇し、アーム側部のピン２１が長孔２０の上端にきた時点で間隔アーム１３は切刃レバー９によってテープ芯環側へ押されるので、突起２３は直ちに円弧溝２２に入り込み、手で持ち上げた粘着テープ５が間隔アーム１３から離れても、アーム側部の突起２３が再び固定溝２５内に落下することはない。
【００２５】
この後、図２の状態から先端に折り返し片２７をもつ粘着テープ５を必要な長さに引き出し、切刃レバー９の先端部および該先端部の切刃１１に付着させながら更に引き出すと、切刃レバー９がテープ引出し側へ回動し、これと共に切刃レバー９の他側部１２の係合突部１５によって間隔アーム１３が切刃レバー９に対して間隔ｄを保ちつつ円弧溝２２に沿って引出し側へ回動し（この回動途中で粘着テープ５がアーム先端部のテープ付着面２６にも付着する）、側部の突起２３が円弧溝２２の上端（テープ引出し側の溝端）にきた時に、側部の突起２３が固定溝２５に入り込んで間隔アーム１３が固定される。固定された間隔アーム１３に対して該アーム１３の背部と切刃レバー９の係合突部１５との係合（第２のレバーストッパ手段）によって切刃レバー９のテープ引出し側への傾動が阻止される。図３はこのときの状態を示している。
【００２６】
この状態で粘着テープ５を切刃レバー先端の切刃１１で切断する。切断後もテープ芯環につながる粘着テープ５はレバー９の先端部および間隔アーム１３の先端のテープ付着面１８，２６に付着されており、この切断と同時に切刃レバー９は引張りばね１７のばね力でテープ芯環側へ瞬時に戻り、固定状態にある間隔アーム１３に衝接する。これによって間隔アーム１３の先端部と切刃レバー９の先端部との間の粘着テープ部分は接着面を内側にしてループ状態から重ね折り、あるいは２つ折りに畳まれて折り返し片２７が形成される。図１はこの時の状態である。この状態で次回の同様の使用に供される。
【００２７】
実施形態１では、折り返し片２７をもつ粘着テープ５を得る場合に有用であるが、実際には、この構造においても、折り返し片７を有しない粘着テープ５の切断は可能である。間隔アーム１３がテープ芯環側に倒れている状態、あるいは間隔アーム１３が前記アーム固定手段によって固定されている状態いずれの場合も、切刃レバー９は略立位状態にあり、したがって切刃レバー９の先端部に、引き出した粘着テープ５を押し当て、そのまま粘着テープ５を引出し側へ引張りつつ切刃レバー９が極く僅かに傾動した段階で、切刃１１によりテープ切断を行うことが実際上可能である。テープ切断後、切刃レバー９はテープ芯環側へばね力で戻って前記第１のレバーストッパ手段で止まるが、この戻り量は僅かであり、折り返し片は形成されない。
（実施形態２）
【００２８】
実施形態１において、折り返し片２７の形成しない実際上の使用も可能であることは述べたが、実施形態２は折り返し片の形成しない通常使用と折り返し片の形成使用の両形態を兼用できる構造とした例であり、この場合は、折り返し片の形成しない通常使用がよりスムーズに行える。図４はこの場合のテープカッター装置の側面図であり、実施形態１と異なる所は、テープ引出し側で切刃レバー９に接当する通常使用時ストッパ（通常時ストッパ）３０が設けられている点であり、それ以外は実施形態１の構成と同じである。
【００２９】
本体部１のテープ引出し側部分の両側板８にピン孔が形成され、このピン孔に着脱可能な通常使用時用のストッパピン３０が挿入されている。このストッパピン３０の位置は切刃レバー９がテープ引出し側へ大きく傾動しない位置、より具体的には、間隔アーム１３が前記アーム固定手段によって固定された立位状態にあるときの、該アーム１３の先端部に接当した切刃レバー９の片側部１０に接触するような位置に設定される。既に述べた如く、粘着テープ５を間隔アーム１３および切刃レバー９から引き離して所要長さに引き出したとき、間隔アーム１３はテープ芯環側へ倒れ、かつ切刃レバー９も間隔アーム１３に対して間隔ｄ（図２）を有してテープ芯環側へ僅かに傾斜し、この状態でテープ５を切刃レバー９の先端部に付着させて引き出すと、切刃レバー９は通常時用のストッパピン３０に接当してそれ以上引出し側へ傾動することはなく、テープ切断後も切刃レバー９の戻りは僅かで停止し、仮に、間隔アーム１３に衝突した場合にも折り返し片は形成されない。
【００３０】
ストッパピン３０を前記ピン孔から外すことにより、実施形態１の図３と同じ状態となり、折り返し片７が形成可能となる。この場合、抜き取ったストッパピン３０の紛失を防ぐために、ストッパピン３０は本体部１の前記ピン孔から完全に抜き取る形態でなく、ストッパピン３０に適当な抜出し防止手段を付加し、ピン３０を外してストッパ機能を解除してもストッパピン３０は前記ピン孔の側方に保持されるようにすることも可能である。
（実施形態３）
【００３１】
図５、図６はそれぞれ本発明の実施形態３の側面図であり、本体部１の側板８にストッパ解除用のピン逃げ部を形成したものである。切刃レバー９の枢軸位置よりもテープ引出し側に寄った位置で、かつ該枢軸位置より若干斜め上方の位置で、本体部１の両側板８にそれぞれ上下に伸びる２個の溝孔３１，３２が横方向に並んで形成され、この両溝孔３１，３２を上端でつなぐ横溝３３が形成され、この溝孔３１に両側板８に亘る長さの通常時ストッパ用のストッパピン３０が遊嵌されている。２つの溝孔３１，３２のうち外側にある溝孔３２は内側の溝孔３１よりも長く形成され、かつストッパピン３０は両溝孔３１，３２と横溝３３の間を手動で移動させ得るようになっている。なお、ストッパピン３０の両端部近くには、溝孔３１，３２の位置で本体部１の側板８の内面に接当する抜止め用の大径部３４が形成されている。
【００３２】
内側の溝孔３１の位置は実施形態２で説明したストッパピン挿入用のピン孔の位置と同様の位置に設定される。ストッパピン３０が内側の溝孔３１に位置するとき、切刃レバー９は、このストッパピン３０に接当してそれ以上引出し側へ傾動せず、このストッパピン位置で切刃レバー９の切刃１１でテープ５を切断しても折り返し片は形成されない。ストッパピン３０を外側の溝孔３２へ移動させると、切刃レバー９はストッパピン３０に接当することなく大きく傾動し、テープ切断時に固定位置にある間隔アーム１３に衝突して折り返し片が形成される。
【００３３】
なお、上述の各実施形態においては、カッター装置の本体部１の側板８を透明プラスチック部材で形成し、明瞭化のため装置の内部構造を側方から透視できるようにしたが、各部の構造、形状をより明確にするために、本体部１の側板８の要部および切刃レバー９の側面図をそれぞれ図７および図８に示した。
（実施形態４）
【００３４】
図９〜図１１は本発明の実施形態４を示した図であり、図９は実施形態４における切刃レバーの組立前の分解斜視図、図１０は組立後における切刃レバーの斜視図である。この実施形態４が実施形態１〜３と異なるところは、切刃レバー９の切刃１１に隣接している先端部分が切刃１１に対して上下に移動可能となっているところであり、その他は実施形態１〜３と同様である。切刃レバー９の一方の片側部１０および他方の片側部１２、この片側部１２の先端に形成される係合突部１５の構成も実施形態１と同様である。切刃レバー９の先端部には、切刃１１の位置よりもテープ芯環側に向いて、かつ切刃１１に隣接して、上下動可能な舌片部材５０が設けられている。舌片部材５０は粘着テープ５の横巾にわたる長さを有し、かつその先端部外面５０ａはレバー９の縦断面で見てわん曲面となっており、図１１に示されるように、粘着テープ５をレバー先端部に当てて引出し側へ引張ったとき、レバー先端部の舌片部材５０の先端外面５０ａのわん曲面に付着するようになっている。
【００３５】
図９に明示される如く、舌片部材５０の下端は２本の離隔した脚部５１が形成され、かつ、この脚部５１の中途位置にフランジ部５２が形成されている。切刃レバー９の本体部（前記舌片部材５０および切刃１１を除いた部分）には、舌片部材５の脚部５１の間隔に対応して一対のコイルばね収容凹部５３が形成され、この凹部５３にそれぞれコイルばね５４が収容されている。各凹部５３の上端は上壁で口が狭められた開口部５５を有している。
【００３６】
舌片部材５０の各脚部５１はコイルばね５４に挿入され、そして脚部中途位置のフランジ部５２の下面がコイルばね５４の上端に接当するようになっている。この状態で舌片部材５０の脚部５１は、コイルばね収容凹部５３の開放された側方から該凹部５３にコイルばね５４と共に収容され、かつ、凹部上側の開口部５５から上方へ伸長する。この場合に、脚部５１のフランジ部５２の上面は、凹部上側の開口部５５を画成する上壁５３ａの下面に接当し、これによって舌片部材５０は凹部５３から上方へ抜け出るのが阻止される。
【００３７】
舌片部材５０の脚部５１のフランジ部５２と接当するコイルばね５４のばね力により、舌片部材５０は常に上方へ付勢されており、フランジ部５２の上面が凹部上側の開口部５５の上壁５３ａ下面に接当している状態で舌片部材５０の先端部は切刃１１の刃先よりも若干上方へ突出している。この刃先に対する舌片部材先端部の突出量は、例えば１〜２ｍｍ程度、より好ましくは、約１．５ｍｍ程度である。なお、フランジ部５２の位置から下方部分の脚部５１の長さはコイルばね５４の軸長よりも短く、舌片部材５０の先端部に押し込みの外力が作用したとき、舌片部材５０は切刃１１に対して下方へ押し下げられる。
【００３８】
このようにして舌片部材５０の脚部５１およびコイルばね５４が切刃レバー９の凹部５３に装填された後、凹部５３の側方開放部を閉鎖するように側部カバー５６が切刃レバー９の本体部分に止めねじ５７によって取り付けられる。なお、切刃１１はこの種の粘着テープの切断に適した例えば金属製の部材でレバー本体部とは別体で形成されて組立時にねじ止め、溝差込み、その他任意の手段でレバー本体部に固着される。
【００３９】
切刃レバー本体部分の上端部は舌片部材５０が装着される部位でＬ状の段差部５９が形成され、側部カバー５６を前記切刃レバー本体部分の側面に接当して凹部５３を閉鎖したとき、側部カバー５６の先端部はＬ状段差部５９の位置よりも上方へ延び、このＬ状段差部５９と側部カバー５６との間に挟まれて舌片部材５０が上下動する。したがって、段差部５９と側部カバー５６との間に生じる間隙は、舌片部材５０の保持溝あるいは舌片部材５０の上下動作のガイド溝ともなっている。
【００４０】
この実施形態４の場合も、粘着テープの引出し、切断および切断後のテープ端部のつまみの自動形成は、前述した実施形態１の場合と同様である。間隔アーム１３がテープ芯環側へ倒れており、かつ切刃レバー９の枢軸１６近くの側部１０がアーム１３の下端部１３ａ（図１参照）に接当してテープ芯環側への傾動が停止している状態で、テープ芯環７（図１）から引き出された粘着テープ５の端部を手でつまんで切刃レバー９の先端部の舌片部材５０に当てながら引出し側へ引張って図３で説明した如く切刃レバー９を傾動させる。そして、引き出した粘着テープ５を切刃１１に当てて下方へ下げると、該テープ５に押されて切刃レバー９の舌片部材５０がコイルばね５４に抗して下降し、図１１に示すように前記テープ５が切断される。
【００４１】
切断後は、舌片部材５０はコイルばね５４によって再び上昇し、元側の粘着テープ５の端部が舌片部材５０の先端部に付着し、同時に切刃レバー９を付勢している引張りばね１７によって切刃レバー９は付着した粘着テープ５と共に固定状態にある間隔アーム１３に衝突し、これによって間隔アーム１３の先端部と切刃レバー９の先端の舌片部材５０との間の粘着テープ部分は接着面を内側にして２つ折りに畳まれて図１で説明したように折り返し片２７が形成される。なお、図１０には間隔アーム１３の先端部が破線で示されている。また、図１０および図１１では、粘着テープ５は明瞭化のため太線で誇張して示してあるが、実際には薄いテープであり、一般に市販されている通常の粘着テープ、例えば芯材に巻かれた透明または半透明の薄い接着テープホルダーに適用される。
【００４２】
実施形態４では、切刃１１よる粘着テープ５の切断および切刃レバー９の先端部へのテープの付着が有効になされ、切断後確実に粘着テープ５の折り返し片２７が形成される。実施形態１の場合は、切刃レバー９の先端部が切刃１１に対して固定されているため、製作上その高さ位置の設定に若干困難が伴う。切刃レバー９の先端部が切刃位置よりも高すぎると、粘着テープ５の付着保持は確実であるものの、該先端部に隣接している切刃１１によるテープ５の切断がしにくくなる。逆に、レバー先端部の位置が切刃１１よりも低いと、前記テープの切断は容易であるが、レバー先端部に粘着テープ５が付着しづらく、また、一時付着しても間隔アーム１３に向けて前記レバー９が急速に戻るときに前記テープ５がレバー先端部から外れてしまうことがある。
【００４３】
しかし、実施形態４の場合は、切断レバー９の先端部の舌片部材５０が弾性的に上下動可能となっているため、切断前の状態で舌片部材５０を切刃１１の刃先よりも高くなるように設定しておくことで、粘着テープ５が確実に舌片部材５０に付着され、切断時には切刃１１に向けた粘着テープ５の押し下げで舌片部材５０が下側へ押し込まれ、切断が確実かつスムーズになされる。間隔アーム１３との衝接時にもテープ５が外れてしまうことはなく、確実に折り返し片２７の形成がなされる。
【００４４】
切刃レバー９が間隔アーム１３側へ戻って該アームに当ったとき、粘着テープ５はアーム先端に付着した部分に続いて舌片部材５０のテープ芯環側の側面５０ｂにも付着する傾向となる（図９）。
このため、実施形態４の変形例によれば、舌片部材５０のテープ芯環側の側面５０ｂには小さな櫛歯状の溝条５８が形成されており、これによって、この部分に付着した粘着テープ５を剥がし易くしている。なお、図示のような櫛歯状の溝に限定されるものではなく、格子状、散点状その他の溝形態であってもよい。
実施形態４においても、図４〜図６で説明したように、折り返し片の形成しない場合の通常使用のための通常時ストッパが設けられてもよい。この通常時ストッパは切刃レバー９がテープ引出し側へ大きく傾動しない位置に設けられ、この位置で切刃レバー９の側部と係合して該切刃レバーの傾動を拘束する。通常時ストッパは離脱あるいは退避可能とし、これによって、折り返し片形成と折り返し片の形成しない通常使用の兼用タイプのテープカッター装置として構成可能である。
【００４５】
上述の各実施形態は、あくまで本発明の例示であり、請求項に示された本発明の範囲内で種々の変形、修正が可能であり、例えばテープ芯環側への切刃レバー９の位置を規定する第１レバーストッパ手段をレバー片側部１０と間隔アーム１３の下端部との接当により構成したが、本体部側板に別のストッパ用のピン等を設けて、これを前記第１レバーストッパ手段としてもよく、また切刃レバー９のテープ引出し側への最大傾動位置を規定する第２レバーストッパ手段も、固定状態にある間隔アーム１３とレバー側部のアーム押し上げ用係合突部１５との係合の他に、本体部の側板８（図１）に切刃レバー９と係合する適当なピンを設けて、これを前記第２レバーストッパ手段としてもよい。これらの変形形態は本発明の範囲に含まれる。
【００４６】
以上説明したように本発明によれば、通常通り粘着テープを手で引き出して切刃レバーの先端部に押し当てて引出し側へ傾動させ、ここで切刃レバーの切刃で切断するだけで、他の何らの付加的な操作をすることなく、自動的に折り返し片を形成できるという効果が発揮される。
【図面の簡単な説明】
【００４７】
【図１】粘着テープを引き出して切断した後の状態を示した本発明の実施形態１に係る粘着テープのテープカッター装置の側面図である。
【図２】粘着テープを持ち上げて切刃レバーから該テープを離したときの状態の本発明の実施形態１に係るテープカッター装置の側面図である。
【図３】粘着テープを切刃レバーに押し当ててテープ引出し側へ傾動させた状態の本発明の実施形態１に係るテープカッター装置の側面図である。
【図４】本発明の実施形態２に係るテープカッター装置の側面図である。
【図５】本発明の実施形態３に係るストッパピンと切刃レバーの係合時におけるテープカッター装置の側面図である。
【図６】本発明の実施形態３に係るストッパピンの退避状態におけるテープカッター装置の側面図である。
【図７】本発明の実施形態３に係るカッター装置の本体部側板の部分的な側面図である。
【図８】本発明の実施形態１〜３に係るカッター装置の切刃レバーの側面図である。
【図９】本発明の実施形態４における切刃レバーの組立前の拡大した分解斜視図である。
【図１０】本発明の実施形態４における切刃レバーの組立後の拡大斜視図である。
【図１１】本発明の実施形態４のテープ切断時における切刃レバーの舌片部材と切刃との関係を示す拡大側面図である。
【符号の説明】
【００４８】
５  粘着テープ
９  切刃レバー
１１  切刃
１３  間隔保持アーム（間隔アーム）
１５  係合突部（アーム押動手段）
１７  引張りばね
２０  長孔
２１  回動ピン
２２  円弧溝
２３  突起
２５  アーム固定溝（アーム固定手段）
２７  折り返し片
３０  ストッパピン
３１，３２  溝孔
５０  舌片部材
５１  脚部
５２  フランジ部
５４  コイルばね
５６  側部カバー
【図１】
2010070266.tif 000003
【図２】
2010070266.tif 000004
【図３】
2010070266.tif 000005
【図４】
2010070266.tif 000006
【図５】
2010070266.tif 000007
【図６】
2010070266.tif 000008
【図７】
2010070266.tif 000009
【図８】
2010070266.tif 000010
【図９】
2010070266.tif 000011
【図１０】
2010070266.tif 000012
【図１１】
2010070266.tif 000013